(57)【特許請求の範囲】
【請求項１】
スライド方向に移動する移動型物と、
合成樹脂で構成され、底部とこの底部から立設する一対の前記スライド方向に沿う側壁とを有することで前記両側壁の間に前記移動型物を収納する収納部を形成してなるケースと、
前記移動型物の移動によってその電気的出力を変化する電気的機能部と、
金属板で構成され、前記ケースの収納部を覆う平板状の上面部と、この上面部のスライド方向に沿う一対の外周辺にて折り曲げられて前記ケースのスライド方向に沿う両側壁の外側面を覆う側面部とを具備するカバーと、を有し、
前記移動型物のスライド方向に沿う左右両側辺の上部からスライド方向に直交する方向に向けて摺接部を突出して設け、
前記ケースの一対の側壁の上辺にスライド方向に向かって所定間隔毎に薄板状でスライド方向に延びる複数の係合突起を設け、またこの側壁にはその外側面の下部に厚みをその上部よりも厚くしたスライド方向に延びる側壁補強部を設け、この側壁補強部の所定位置にこれを上下に切り欠く係止部ガイド溝を設け、さらにこの側壁の内側面の上部に厚みをその下部側より薄くすることでスライド方向に向かって延びる段部からなる摺接部当接部を設け、
一方前記カバーの折り曲げ部の前記各係合突起に対向する位置にスリット形状の被係合穴を設け、
さらに前記カバーは、その両側面部の下端辺の前記ケースの係止部ガイド溝に対向する位置に突出する係止部を具備して構成されており、
前記ケースの上にカバーを被せてカバーの係止部をケースの係止部ガイド溝にガイドさせながら挿入して、カバーの側面部の下端辺がケースの側壁補強部の上端辺に当接しない状態で前記ケースの一対の側壁の上辺に前記カバーの上面部の下面を当接し、その際ケースの各係合突起をカバーの各被係合穴に挿入して係合することでケースの一対の側壁間の幅寸法を均一にし、前記係止部をケースの底部に折り曲げることでカバーをケースに取り付け、さらに前記ケースの収納部に収納した移動型物の摺接部の下面を前記ケースの摺接部当接部上に当接させたことを特徴とするスライド式電子部品。
【請求項２】
前記カバーは、その両側面部の下端辺から突出する複数の係止部の下端辺から突出する折曲部をケースの底部に折り曲げることでケースに取り付けられることを特徴とする請求項１に記載のスライド式電子部品。
【発明の詳細な説明】
【技術分野】
【０００１】
本発明はスライド式可変抵抗器やスライド式スイッチ等のスライド式電子部品に関するものである。
【背景技術】
【０００２】
従来スライド式電子部品５００は、例えば図１０に示すように、摺接パターン５１３を形成した基板５１０と、基板５１０上に載置される移動型物５３０と、移動型物５３０の下面に取り付けられる摺動子５４０と、移動型物５３０上に被せられ且つその外周下辺に設けた爪５６５を基板５１０の下側に設置した取付板５２０の裏面側に折り曲げることで固定されるケース５６０とを具備して構成されている（例えば特許文献１参照）。そして移動型物５３０の上面から突出してケース５６０の開口５６１を貫通するレバー５５０を図１０の紙面手前・奥方向に操作することで移動型物５３０をスライド移動し、これによって摺接パターン５１３に摺動子５４０を摺接し、その電気的出力を変化する。
【０００３】
しかしながら上記従来のスライド式可変抵抗器５００においては以下のような問題点があった。
（１）基板５１０の上面とケース５６０の内面との間に形成される移動型物収納空間ａの高さ寸法ａ１は、基板５１０の上面とケース５６０の上板部５６１の裏面５６１ａとの離間距離によって決まる。しかしながらケース５６０は金属板製であり、上面部５６１の外周を板金加工によって折り曲げて側壁部５６３を設けるので、上面部５６１に対して側壁部５６３を折り曲げる折り曲げ誤差（水平方向と垂直方向の折り曲げ誤差）が生じ易く、このため側壁部５６３の高さ寸法にその長手方向（図１０の紙面手前・奥方向、即ち移動型物５３０のスライド方向）に向かう誤差が生じる恐れがある。このため前記移動型物収納空間ａの高さ寸法ａ１に移動型物５３０のスライド方向に向かって誤差が生じてしまい、その内部を摺動する移動型物５３０が前後左右にガタついたり、また移動型物５３０をスライド移動する際にそのスライド位置に応じてスライドさせる力に変化（ムラ）が生じてしまう（言い換えれば摺動子５４０の摺動圧がスライド位置に応じて変化してしまう）恐れがあった。
【０００４】
（２）ケース５６０の爪５６５を取付板５２０の下面側にかしめるので、その際ケース５６０の側壁部５６３が引っ張られ、外方に開いて（膨らんで）変形する恐れがあった。側壁部５６３が外方に膨らむと、ケース５６０の移動型物収納空間ａの高さ寸法ａ１ばかりでなく、その幅寸法ａ２も変化するため、この点からもその内部を摺動する移動型物５３０が前後左右にガタついたり、また移動型物５３０のスライド位置に応じてスライドさせる力に変化（ムラ）が生じてしまう恐れがあった。
上記問題（１），（２）は、スライド式可変抵抗器５００のスライド方向の長さが長くなればなるほど大きくなり、特に軽い力で長いストローク同一の力でスライド移動したい用途に使用するような場合等に顕著になる。
【０００５】
（３）上記従来例では、移動型物５３０の上面と両側面とが金属製のケース５６０の内側面に摺接することとなるが、そうすると金属製のケース５６０表面のざらつき（一般に成形樹脂表面に比べて金属表面は粗い）によって移動型物５３０の滑らかなスライド移動が阻害されてしまう。
【特許文献１】特開２００１−３５１８０６号公報
【発明の開示】
【発明が解決しようとする課題】
【０００６】
本発明は上述の点に鑑みてなされたものでありその目的は、移動型物収納空間の高さ寸法と幅寸法とを容易にスライド方向に向けて均一にでき、その内部を移動する移動型物にガタつきが生じず、移動型物をスライドさせる力をスライド方向に向けて均一にでき、さらに移動型物の滑らかなスライド移動が実現できるスライド式電子部品を提供することにある。
【課題を解決するための手段】
【０００７】
本願請求項１に記載の発明は、スライド方向に移動する移動型物と、合成樹脂で構成され、底部とこの底部から立設する一対の前記スライド方向に沿う側壁とを有することで前記両側壁の間に前記移動型物を収納する収納部を形成してなるケースと、前記移動型物の移動によってその電気的出力を変化する電気的機能部と、金属板で構成され、前記ケースの収納部を覆う平板状の上面部と、この上面部のスライド方向に沿う一対の外周辺にて折り曲げられて前記ケースのスライド方向に沿う両側壁の外側面を覆う側面部とを具備するカバーと、を有し、前記移動型物のスライド方向に沿う左右両側辺の上部からスライド方向に直交する方向に向けて摺接部を突出して設け、前記ケースの一対の側壁の上辺にスライド方向に向かって所定間隔毎に薄板状でスライド方向に延びる複数の係合突起を設け、またこの側壁にはその外側面の下部に厚みをその上部よりも厚くしたスライド方向に延びる側壁補強部を設け、この側壁補強部の所定位置にこれを上下に切り欠く係止部ガイド溝を設け、さらにこの側壁の内側面の上部に厚みをその下部側より薄くすることでスライド方向に向かって延びる段部からなる摺接部当接部を設け、一方前記カバーの折り曲げ部の前記各係合突起に対向する位置にスリット形状の被係合穴を設け、さらに前記カバーは、その両側面部の下端辺の前記ケースの係止部ガイド溝に対向する位置に突出する係止部を具備して構成されており、前記ケースの上にカバーを被せてカバーの係止部をケースの係止部ガイド溝にガイドさせながら挿入して、カバーの側面部の下端辺がケースの側壁補強部の上端辺に当接しない状態で前記ケースの一対の側壁の上辺に前記カバーの上面部の下面を当接し、その際ケースの各係合突起をカバーの各被係合穴に挿入して係合することでケースの一対の側壁間の幅寸法を均一にし、前記係止部をケースの底部に折り曲げることでカバーをケースに取り付け、さらに前記ケースの収納部に収納した移動型物の摺接部の下面を前記ケースの摺接部当接部上に当接させたことを特徴とするスライド式電子部品にある。
【００１０】
本願請求項２に記載の発明は、前記カバーは、その両側面部の下端辺から突出する複数の係止部の下端辺から突出する折曲部をケースの底部に折り曲げることでケースに取り付けられることを特徴とする請求項１に記載のスライド式電子部品にある。
【発明の効果】
【００１４】
請求項１に記載の発明によれば、ケースの両側壁の上辺にカバーの下面を当接することで移動型物収納空間の高さ寸法を規定したので、この高さ寸法は合成樹脂を成形することで正確に形成されるケースの側壁の高さ寸法と一致し、従って移動型物収納空間の高さ寸法は移動型物のスライド方向に向かって均一になり、移動型物が前後左右にガタつくことはなく、移動型物の移動はスライド方向の何れの位置においても均一にスムーズになる。また移動型物のスライド方向に沿う両側面は合成樹脂製のケースの滑らかな内側面に摺接し、金属製のカバーの粗い面には摺接しないので、移動型物を滑らかにスライド移動させることができる。
【００１５】
請求項１に記載の発明によれば、ケースの両側壁の上辺に設けた係合突部をカバーの被係合穴に係合したので、ケースの両側壁の離間距離がカバーの上面部によって固定され、ケースの両側壁が広がることはなく、従って移動型物収納空間の幅寸法も均一になり、この点からも移動型物が前後左右にガタつくことはなく、移動型物の移動はスライド方向の何れの位置においても均一にスムーズになる。
【００１６】
請求項２に記載の発明によれば、カバーをケースに確実に取り付けることができる。言い換えればこのような取付構造を用いても、前記請求項１の効果を生じるスライド式電子部品が得られる。
【００１７】
請求項１に記載の発明によれば、カバーの被係合穴をカバーの折り曲げ部に設けたので、ケースの両側壁の上辺にカバーの上面部の下面を当接することができて請求項１の各効果を生じ、さらにカバーの側面部をケースの側壁の外側面に接するように沿わせることができるのでその外形寸法を小さくできる。
【００１９】
請求項１に記載の発明によれば、複数設けられたケースの係合突部とカバーの被係合穴とをそれぞれ係合したので、ケースの一対の側壁間の幅寸法を移動型物のスライド方向に向かってさらに均一化することができる。
【発明を実施するための最良の形態】
【００２０】
以下、本発明の実施形態を図面に基づいて詳細に説明する。
〔第１実施形態〕
図１は本発明の第１実施形態にかかるスライド式電子部品（以下各実施形態では「スライド式可変抵抗器」という）１−１の横断面図、図２はスライド式可変抵抗器１−１の斜視図、図３はスライド式可変抵抗器１−１の分解斜視図である。これらの図に示すようにスライド式可変抵抗器１−１は、移動型物１０と、移動型物１０を収納するケース５０と、ケース５０の収納部５５を覆うカバー１００とを具備して構成されている。以下各構成部品について説明する。
【００２１】
図４は移動型物１０の分解斜視図である。同図及び図１〜図３に示すように、移動型物１０は、略矩形状の本体部２０と、本体部２０の上面中央に取り付けられるレバー４０と、本体部２０上に載置される弾発板３３及び摺動板３７とを具備して構成されている。本体部２０は合成樹脂（この実施形態ではＰＯＭ樹脂であるが、他の各種合成樹脂でも良い）の成形品であり、ケース５０の収納部５５内でのこの移動型物１０の直線状のスライド方向Ａに向けて長尺な略矩形状に形成され、そのスライド方向Ａの左右両側辺２１の四隅の上部にスライド方向Ａに直交する方向（以下「幅方向Ｂ」という）の外方に向けて突出する略矩形状の摺接部２３を設けている。本体部２０の上面中央にはスライド方向Ａに長尺な矩形状の取付部２７が設けられ、その上面には矩形状の取付穴２９が設けられ、下記するレバー４０の下端部４１を圧入（又はインサート成形）して固定している。本体部２０の下面には図１に示すように、電気的機能部である二組の弾性金属板製の摺動子４５の平板状の基部４７を、本体部２０の下面から突出する小突起３１の先端を熱カシメすることによって固定している。各基部４７の下面側には基部４７から突出する二本ずつの摺動冊子４９が折り返されて設置されている。
【００２２】
レバー４０は上下に長尺な薄板状の金属板によって構成されており、その下端部４１は前記本体部２０の取付部２７に圧入又はインサート成形によって本体部２０に一体に固定されている。レバー４０を金属製としたのはその強度を強くするためである。弾発板３３は金属製（例えば、リン青銅製）の弾性板を前記本体部２０の上面に載置される外形形状に形成して構成されており、その中央に前記取付部２７を挿通する矩形状の開口部３５を設け、またその全体をスライド方向Ａに沿って上方向に凸となるように円弧状に湾曲させて構成されている。摺動板３７は合成樹脂製（例えばＰＯＭ樹脂製）の薄板を前記本体部２０の上面に載置される外形形状に形成して構成されており、その中央には前記取付部２７を挿通する矩形状の開口部３９が設けられている。
【００２３】
図５はケース５０の一部を示す図であり、図５（ａ）は一部平面図、図５（ｂ）は一部側断面図である。同図及び図１〜図３に示すようにケース５０は、上面が開放された長尺の矩形箱型であって、底部５１と底部５１から立設する一対のスライド方向Ａに沿う側壁５３，５３とを有することで両側壁５３，５３の間に前記移動型物１０の本体部２０を収納する収納部５５を形成している。またケース５０の底部５１の内底面にはフレキシブル回路基板８０がその上面を収納部５５内に露出するようにインサート成形されている。フレキシブル回路基板８０は可撓性を有する合成樹脂フイルム（例えばポリエチレンテレフタレートフイルムやポリフェニレンスルフイドフイルム等）の上面にスライド方向Ａに向けて電気的機能部である所定の回路パターン（直線状の二本一組の四本の回路パターンであり、各組の一方の回路パターンを抵抗体パターンとしている）８１を設けて構成されている。またケース５０のスライド方向Ａの両端部の下面からは前記各回路パターン８１の端部に接続された端子板９０が突出している。一方前記一対の側壁５３，５３の上辺５３ａ，５３ａにはこの上辺５３ａ，５３ａから上方向に向かって突出する係合部（以下各実施形態では「係合突起」という）５７が所定間隔毎に複数個設けられている。各係合突起５７は側壁５３の厚みよりも薄く、且つスライド方向Ａに延びる薄板矩形状に形成されている。また一対の側壁５３，５３の対向する内側面の上部には、上部側の側壁５３，５３の厚みをその下部側よりも薄くすることでスライド方向Ａに向かって延びる直線状の段部からなる摺接部当接部５９，５９を形成している。また側壁５３の外側面の下部には、その厚みをその上部よりも厚くしたスライド方向Ａに延びる帯状の側壁補強部６１が設けられ、その所定位置にはこれを上下に切り欠く複数の係止部ガイド溝６３が設けられている。
【００２４】
図６，図７はケース５０にインサート成形されるフレキシブル回路基板８０及び端子板９０を示す図である。即ちケース５０を製造するにはまず図６に示すようにフレキシブル回路基板８０及び端子板９０を用意する。フレキシブル回路基板８０はスライド方向Ａの両端部（図６，図７では一端部のみ示している）上面に前記複数の回路パターン８１に接続する端子パターン８３を形成しており、各端子パターン８３中にはフレキシブル回路基板８０を貫通する矩形状の端子板挿入穴８５を形成している。一方端子板９０は、細帯状でスライド方向Ａを向く支持部９１の先端に略矩形平板状の端子当接部９３を設け、さらに端子当接部９３の支持部９１を接続している側の辺から突出する細帯状の端子部９５を略直角に下方に向けて折り曲げて構成されている。各支持部９１の図示しない根元部分は一枚の金属板に連結されており、これによって各端子部９５間のピッチが、前記フレキシブル回路基板８０の各端子板挿入穴８５間のピッチと同一になるようにしている。そして図７に示すように前記各端子９０の端子部９５をフレキシブル回路基板８０の各端子板挿入穴８５に挿入し、その端子当接部９３を端子パターン８３に当接したものを、図示しない金型内に設置し、金型内に形成されるキャビティーに溶融成形樹脂を圧入して硬化させ、金型を取り外し、さらにケース５０のスライド方向Ａの両端面から突出している支持部９１を切断すれば、図３や図５に示すケース５０が完成する。これによってフレキシブル回路基板８０の下面側に底部５１が形成され、フレキシブル回路基板８０の長手方向に沿う両側辺上に側壁５３が形成され、また端子板９０の主として支持部９１の端子当接部９３から突出した部分の上にこれを覆う端子押さえ部６５が形成される。
【００２５】
ところで図３，図５に示すように、側壁５３の両端近傍には上下に延びる穴６７が設けられているが、この穴６７の底には複数本の端子９０の内の両端の端子９０の端子当接部９３の上面の一部が露出している。このように構成したのは以下の理由による。即ちフレキシブル回路基板８０及び端子板９０を金型内に設置してその周囲のキャビティー内に溶融成形樹脂を圧入する際、フレキシブル回路基板８０の端子パターン８３と端子板９０の端子当接部９３の間に前記溶融成形樹脂が入り込んでその接続が不完全になることを防止するためには、端子板９０の上面に金型の面を当接しておくことが好適である。このため複数本の端子９０の内の両端部以外の端子９０については収納部５５を形成するためにフレキシブル回路基板８０上に当接する金型面を同時にそれらの端子当接部９３の上面にも当接することで、上記目的が達成できる（このためこれら端子当接部９３は収納部５５内に露出している）。しかしながらケース５０のスライド方向Ａの長さの小型化のため、側壁５３をケース５０の両端部一杯まで形成すると（このように形成するとケース５０の長さ全体を移動型物１０のスライド移動に利用でき、必要とする移動型物１０のスライド寸法に対してケース５０の長さ寸法を短くできる）、両端の端子当接部９３についてはその上に側壁５３が位置することとなり、このため前記収納部５５を形成するための金型面を当接させることができない。そこで金型の側壁５３を形成するキャビティー内の前記両端の端子当接部９３に対向する位置に別途突起を下方向に向けて突設してその先端を前記両端の端子当接部９３の上面に当接させることとし、このため前記穴６７が形成されたのである。
【００２６】
カバー１００は図３に示すように、金属板をその下面が開放された箱型に折り曲げることによって、前記ケース５０を覆う形状に形成されている。即ちカバー１００は、前記ケース５０の収納部５５を覆う寸法形状の略矩形状の上面部１０１の外周四辺からそれぞれ突出する側面部１０３ａ，ｂ，ｃ，ｄを略直角下方向に折り曲げ、スライド方向Ａに沿う一対の側面部１０３ａ，１０３ｃの下端辺（即ちカバー１００の外周）の前記ケース５０の各係止部ガイド溝６３に対向する位置からそれぞれ係止部１０５を突出し、一方前記上面部１０１の中央にスライド方向Ａに向かって伸びる矩形状のレバー挿通孔１０７を設けて構成されている。ここで前記係止部１０５は、矩形状で前記係止部ガイド溝６３と略同一の幅を有する基部１０５ａの下端辺から細帯状の折曲部１０５ｂを突出して構成されている。またスライド方向Ａに沿う一対の側面部１０３ａ，１０３ｃの上面部１０１から屈曲されている折り曲げ部１０９には、前記ケース５０の各係合突起５７にぴったり係合される寸法形状（スリット形状）の被係合部（以下各実施形態では「被係合穴」という）１１１が設けられている。
【００２７】
そしてこのスライド式可変抵抗器１−１を組み立てるには、まず図４において、本体部２０の上面に弾発板３３と摺動板３７とを載置する。その際弾発板３３の開口部３５と摺動板３７の開口部３９にレバー４０を挿入する。摺動板３７には摺動性を向上するためその表面にグリスを塗っておくことが好ましい。次に図３において、前記移動型物１０の本体部２０をケース５０の収納部５５内に収納する。その際図１に示すように、移動型物１０の４つの摺接部２３の下面をケース５０の摺接部当接部５９上に当接し、同時に移動型物１０の下面に取り付けている摺動子４５の各摺動冊子４９をそれぞれ各回路パターン８１に当接する。そして前記ケース５０の上にカバー１００を被せる。その際カバー１００のスライド方向Ａに沿う両側面部１０３ａ，１０３ｃがケース５０の側壁５３，５３の外側面を覆い、またカバー１００の各係止部１０５の基部１０５ａがケース５０の各係止部ガイド溝６３にガイドされながら挿入され、またケース５０の各係合突起５７がカバー１００の各被係合穴１１１に挿入・係合される。そしてカバー１００の各係止部１０５の折曲部１０５ｂをケース５０の底部５１の下面側に折り曲げれば、ケース５０とカバー１００が一体に固定されてスライド式可変抵抗器１−１が完成する。
【００２８】
このとき図１，図２からも分かるように、カバー１００の側面部１０３ａ，ｂ，ｃ，ｄの下端辺はケース５０の側壁補強部６１の上端辺には当接しておらず、ケース５０の一対の側壁５３，５３の上辺５３ａ，５３ａにカバー１００の上面部１０１の下面を当接させている。これによってケース５０の収納部５５とカバー１００の上面部１０１の下面とによって形成される移動型物収納空間Ｃの高さ寸法Ｃ１を規定している。また弾発板３３によって摺動板３７がカバー１００の上面部１０１の下面に弾接され、同時に移動型物１０の摺接部２３の下面がケース５０の摺接部当接部５９上に弾接される。
【００２９】
そして移動型物１０のレバー４０をスライド方向Ａに向けて移動すれば、摺動子４５の摺動冊子４９が回路パターン８１上を摺動することで、各端子板９０間の抵抗値が変化する。このとき、弾発板３３によって移動型物１０の摺接部２３の下面がケース５０の摺接部当接部５９上に弾接されるので、移動型物１０の移動に適度な操作力が付与できると同時に、移動型物１０をスライド移動させた際のがたつきを確実に防止することができる（当接（弾接）していないで隙間があると、がたつく恐れがある）。
【００３０】
そしてこのスライド式可変抵抗器１−１は上記構成を有するので、以下のような作用を生じる。即ちケース５０の両側壁５３の上辺５３ａにカバー１００の平板状の上面部１０１の下面を当接することで移動型物収納空間Ｃの高さ寸法Ｃ１を規定したので、この高さ寸法Ｃ１は合成樹脂を成形することで精度良く形成されるケース５０の側壁５３の高さ寸法Ｃ１と一致する。なおカバー１００は金属板製であるが、折り曲げていない平板状の上面部１０１の平面度は高い。従って移動型物１０のスライド方向Ａに向かって移動型物収納空間Ｃの高さ寸法Ｃ１は何れの部分も同一になり、移動型物１０が前後左右にガタつくことはなく、移動型物１０の移動はスライド方向Ａの何れの位置においても均一な力でスムーズになる。また移動型物１０のスライド方向Ａに沿う合成樹脂製の滑らかな両側面が合成樹脂製のケース５０の滑らかな内側面に摺接するので、移動型物１０を滑らかにスライド移動させることができる。
【００３１】
またケース５０の両側壁５３の上辺５３ａに設けた係合突起５７にカバー１００の被係合穴１１１を係合したので、ケース５０の両側壁５３の離間距離がカバー１００の上面部１０１によって固定され、ケース５０の両側壁５３が広がる（又は狭まる）ことはなく、従って移動型物収納空間Ｃの幅寸法Ｃ２もスライド方向Ａの各部で同一になり、この点からも移動型物１０が前後左右にガタつくことはなく、移動型物１０の移動はスライド方向Ａの何れの位置においても均一な力でスムーズになる。またカバー１００の外周から突出する係止部１０５（その折曲部１０５ｂ）をケース５０の底部５１の下面に折り曲げることでこのカバー１００をケース５０に取り付けたので、カバー１００をケース５０に確実に取り付けることができる。言い換えればこのような確実な取付構造を用いても、上述のように移動型物１０の移動をスライド方向Ａの何れの位置においても均一な力でスムーズに滑らかに行わせることができる。
【００３２】
またカバー１００の被係合穴１１１をカバー１００の折り曲げ部１０９に設けたので、ケース５０の両側壁５３の上辺５３ａにカバー１００の上面部１０１の下面を当接することができて上記各作用を生じると同時に、さらにカバー１００の側面部１０３ａ，ｃをケース５０の側壁５３の外側面に接するように沿わせることができてその外形寸法（幅寸法）の小型化が図れる。また所定間隔毎に複数設けられたケース５０の係合突起５７とカバー１００の被係合穴１１１とをそれぞれ係合したので、ケース５０の一対の側壁５３間の移動型物収納空間Ｃの幅寸法Ｃ２をスライド方向Ａの各部においてさらに同一にすることができる。即ちケース５０は合成樹脂製なので温度や湿度によって膨張収縮し、このためケース５０が長尺の場合はその幅寸法Ｃ２が各部で変化する恐れがある。そこでこのケース５０をスライド方向Ａの各部で膨張収縮しない金属板製のカバー１００で固定し、前記ケース５０の膨張・収縮による寸法変化を無くしたのである。
【００３３】
〔参考例〕
図８は本発明の参考例にかかるスライド式可変抵抗器１−２の分解斜視図、図９は横断面図である。同図に示すスライド式可変抵抗器１−２において、前記第１実施形態にかかるスライド式可変抵抗器１−１と同一又は相当部分には同一符号（但し各符号には「−２」を付ける）を付す。なお以下で説明する事項以外の事項については、前記図１〜図７に示す第１実施形態と同じである。この参考例にかかるスライド式可変抵抗器１−２は、移動型物１０−２と、移動型物１０−２を収納するケース５０−２と、ケース５０−２の収納部５５−２を覆うカバー１００−２とを具備して構成されている。以下各構成部品について説明する。
【００３４】
移動型物１０−２は、略矩形状の本体部２０−２と、本体部２０−２の上面中央に取り付けられる円柱状のレバー４０−２とを具備して構成されている。本体部２０−２及びレバー４０−２は合成樹脂（この実施形態ではＰＯＭ樹脂であるが、他の各種合成樹脂でも良い）の一体成形品であり、本体部２０−２の上面には矩形状に突出するガイド部４３−２が設けられ、またそのスライド方向Ａの左右両側辺２１−２の四隅には上下方向に突出する略矩形状の摺接部２３−２が設けられ、また図９に示すように本体部２０−２の下面には弾性金属板からなる摺動子４５−２が取り付けられている。
【００３５】
ケース５０−２は、第１実施形態と同様に上面が開放された矩形箱型状であって、底部５１−２と底部５１−２から立設する一対のスライド方向Ａに沿う側壁５３−２，５３−２とを有することで両側壁５３−２，５３−２の間に前記移動型物１０−２の本体部２０−２を収納する収納部５５−２を形成している。またケース５０−２の底部５１−２の内底面にはフレキシブル回路基板８０−２がその上面を収納部５５−２内に露出するようにインサート成形されている。フレキシブル回路基板８０−２は可撓性を有する合成樹脂フイルムの上面にスライド方向Ａに向けて所定の回路パターン８１−２を設けて構成されている。この実施形態の場合、端子板９０−２は各回路パターン８１−２の一端のみに接続されており、従って各端子板９０−２はケース５０−２のスライド方向Ａの一端部の下面から突出している。端子板９０−２の各回路パターン８１−２への接続構造は第１実施形態と同様である。一方一対の側壁５３−２，５３−２の上辺５３ａ−２，５３ａ−２にはこの上辺５３ａ−２，５３ａ−２から上方向に向かって突出する係合突起５７−２が所定間隔毎に複数個設けられている。また側壁５３−２の外側面の所定位置にはこれを上下に切り欠く一つずつの溝６４−２が設けられている。この実施形態の場合、ケース５０−２の両側壁５３−２，５３−２の内側の根元部分に、スライド方向Ａに延びて前記移動型物１０−２の摺接部２３−２を載置する摺接部当接部５９−２，５９−２が設けられている。
【００３６】
カバー１００−２は、金属板を平板矩形状で前記ケース５０−２の上面を覆う形状の上面部１０１−２を具備して構成されている。カバー１００−２の中央にはスライド方向Ａに向かって伸びて前記移動型物１０−２のガイド部４３−２を挿入してガイドしながらこれをスライド方向Ａに移動自在とする矩形状のレバー挿通孔１０７−２が設けられ、またレバー挿通孔１０７−２のスライド方向Ａに沿う両側部には前記ケース５０−２の係合突起５７−２を挿入・係合する貫通孔からなる被係合穴１１１−２が所定間隔毎に複数個設けられている。また前記ケース５０−２の溝６４−２に対向する位置には、カバー１００−２の両側辺から舌片状に突出して下方にほぼ直角に折り曲げられた固定片１１３−２が設けられている。
【００３７】
そしてこのスライド式可変抵抗器１−２を組み立てるには、移動型物１０−２の本体部２０−２をケース５０−２の収納部５５−２内に収納する。その際図９に示すように、移動型物１０−２の４つの摺接部２３−２の下面がケース５０−２の摺接部当接部５９−２上に当接し、同時に移動型物１０−２の下面に取り付けている摺動子４５−２の各摺動冊子４９−２がそれぞれ回路パターン８１−２に当接している。そして前記ケース５０−２の上にカバー１００−２を被せ、その際ケース５０−２の各係合突起５７−２をカバー１００−２の各被係合穴１１１−２に挿入・係合する。そしてカバー１００−２の被係合穴１１１−２に挿入したケース５０−２の係合突起５７−２の先端を熱カシメ等によって潰すことでカバー１００−２をケース５０−２に取り付ければ、ケース５０−２とカバー１００−２が一体に固定されてスライド式可変抵抗器１−２が完成する。
【００３８】
この参考例においても、ケース５０−２の一対の側壁５３−２，５３−２の上辺５３ａ−２，５３ａ−２にカバー１００−２の上面部１０１−２の下面を当接することで、ケース５０−２の収納部５５−２とカバー１００−２の上面部１０１−２の下面とによって形成される移動型物収納空間Ｃ−２の高さ寸法Ｃ１−２を規定している。そして移動型物１０−２のレバー４０−２をスライド方向Ａに向けて移動すれば、摺動子４５−２の摺動冊子４９−２が回路パターン８１−２上を摺動することで、各端子板９０−２間の抵抗値が変化する。このとき移動型物１０−２の摺接部２３−２の上下面がそれぞれカバー１００−２の下面とケース５０−２の摺接部当接部５９−２の上面とに当接している。
【００３９】
そしてこのスライド式可変抵抗器１−２は上記構成を有するので、第１実施形態と同様に以下のような作用を生じる。即ちケース５０−２の両側壁５３−２の上辺５３ａ−２にカバー１００−２の平板状の上面部１０１−２の下面を当接することで移動型物収納空間Ｃ−２の高さ寸法Ｃ１−２を規定したので、この高さ寸法Ｃ１−２は合成樹脂を成形することで精度良く形成されるケース５０−２の側壁５３−２の高さ寸法Ｃ１−２と一致する。なおカバー１００−２は金属板製であるが、折り曲げていない平板状の上面部１０１−２の平面度は高い。従って移動型物１０−２のスライド方向Ａに向かって移動型物収納空間Ｃ−２の高さ寸法Ｃ１−２は何れの部分も同一になり、移動型物１０−２が前後左右にガタつくことはなく、移動型物１０−２の移動はスライド方向Ａの何れの位置においても均一な力でスムーズになる。また合成樹脂製の移動型物１０−２のスライド方向Ａに沿う両側面が合成樹脂製のケース５０−２の滑らかな内側面に摺接するので、移動型物１０−２を滑らかにスライド移動させることができる。
【００４０】
またケース５０−２の両側壁５３−２の上辺５３ａ−２に設けた係合突起５７−２をカバー１００−２の被係合穴１１１−２に係合したので、ケース５０−２の両側壁５３−２の離間距離がカバー１００−２の上面部１０１−２によって固定され、ケース５０−２の両側壁５３−２が広がる（又は狭まる）ことはなく、従って移動型物収納空間Ｃ−２の幅寸法Ｃ２−２もスライド方向Ａの各部で同一になり、この点からも移動型物１０−２が前後左右にガタつくことはなく、移動型物１０−２の移動はスライド方向Ａの何れの位置においても均一な力でスムーズになる。またカバー１００−２の被係合穴１１１−２に挿入したケース５０−２の係合突起５７−２を潰すことでカバー１００−２をケース５０−２に取り付けたので、カバー１００−２に側面部を設けるというような加工を施さなくても容易にケース５０−２にカバー１００−２を取り付けることができる。言い換えればこのような取付構造を用いても、上述のように移動型物１０−２の移動をスライド方向Ａの何れの位置においても均一な力でスムーズに滑らかに行わせることができる。また所定間隔毎に複数設けられたケース５０−２の係合突起５７−２とカバー１００−２の被係合穴１１１−２とをそれぞれ係合したので、周囲温度や湿度が変化しても合成樹脂製のケース５０−２の一対の側壁５３−２間の移動型物収納空間Ｃ−２の幅寸法Ｃ２−２をスライド方向Ａの各部において同一にすることができる。
【００４１】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載のない何れの形状・構造・材質であっても、本願発明の作用・効果を奏する以上、本願発明の技術的思想の範囲内である。例えば上記実施形態ではその電気的機能部として摺動子４５を回路パターン８１に摺接させて抵抗値を変化するように構成したが、回路パターン８１をスイッチパターンで構成しても良く、また摺動子４５と回路パターン８１の組み合わせ以外の各種構造のスライド式可変抵抗器やスライド式スイッチであっても良い。要は移動型物１０の移動によってその電気的出力が変化する電気的機能部であればどのような構成であっても良い。
【図面の簡単な説明】
【００４２】
【図１】スライド式可変抵抗器１−１の横断面図である。
【図２】スライド式可変抵抗器１−１の斜視図である。
【図３】スライド式可変抵抗器１−１の分解斜視図である。
【図４】移動型物１０の分解斜視図である。
【図５】ケース５０の一部を示す図であり、図５（ａ）は一部平面図、図５（ｂ）は一部側断面図である。
【図６】ケース５０にインサート成形されるフレキシブル回路基板８０及び端子板９０を示す図である。
【図７】ケース５０にインサート成形されるフレキシブル回路基板８０及び端子板９０を示す図である。
【図８】スライド式可変抵抗器１−２の分解斜視図である。
【図９】スライド式可変抵抗器１−２の横断面図である。
【図１０】従来のスライド式電子部品の横断面図である。
【符号の説明】
【００４３】
１−１  スライド式可変抵抗器（スライド式電子部品）
１０  移動型物
２０  本体部
４０  レバー
４５  摺動子（電気的機能部）
Ａ  スライド方向
５０  ケース
５１  底部
５３  側壁
５３ａ  上辺
５５  収納部
５７  係合突起（係合部）
８０  フレキシブル回路基板
８１  回路パターン（電気的機能部）
９０  端子板
１００  カバー
１０１  上面部
１０３ａ，ｂ，ｃ，ｄ  側面部
１０５  係止部
１０５ａ  基部
１０５ｂ  折曲部
１０９  折り曲げ部
１１１  被係合穴（被係合部）
Ｃ  移動型物収納空間
Ｃ１  高さ寸法
Ｃ２  幅寸法
１−２  スライド式可変抵抗器
【図１】
0004749817.tif 000002
【図２】
0004749817.tif 000003
【図３】
0004749817.tif 000004
【図４】
0004749817.tif 000005
【図５】
0004749817.tif 000006
【図６】
0004749817.tif 000007
【図７】
0004749817.tif 000008
【図８】
0004749817.tif 000009
【図９】
0004749817.tif 000010
【図１０】
0004749817.tif 000011